(57)【要約】【課題】複数種類のタッチパネルデバイスを有する情報表示端末における電力消費を抑制する。【解決手段】情報表示端末のＣＰＵが実行する処理は、情報表示端末が実行すべき動作モードが通常モードであるか省電力モードであるかを判断するステップ（Ｓ３１０）と、通常モードの場合に、ハイブリッド方式用ユーザインターフェイスを起動して、静電式のタッチパネルデバイスおよび感圧式のタッチパネルデバイスをアクティブにするステップ（Ｓ３２０）と、省電力モードの場合に、静電式のタッチパネルデバイスのためのユーザインターフェイスまたは感圧式のタッチパネルデバイスのためのユーザインターフェイスを表示装置に表示させるステップ（Ｓ３３０）とを含む。【選択図】図３
2013143090.tif 000002
【特許請求の範囲】
【請求項１】
情報表示端末であって、
表示装置と、
前記表示装置に対する入力を検出するための第１の種類のタッチセンサと、
前記表示装置に対する入力を検出するための第２の種類のタッチセンサと、
ユーザインターフェイス情報を格納するためのメモリと、
前記第１の種類のタッチセンサおよび前記第２の種類のタッチセンサのいずれかが予め規定された理由のために使用されない場合に、残りのタッチセンサの特性に応じたユーザインターフェイスを、有効なユーザインターフェイスとして機能させるための制御手段とを備える、情報表示端末。
【請求項２】
前記予め規定された理由は、前記情報表示端末の動作モードが省電力モードに切り替わることである、請求項１に記載の情報表示端末。
【請求項３】
前記第１の種類のタッチセンサの検出精度と、前記第２の種類のタッチセンサの検出精度とは、異なる、請求項１または２に記載の情報表示端末。
【請求項４】
前記制御手段は、前記情報表示端末に対する入力を受け付けるために前記表示装置に表示される画像に対するタッチ操作に反応する面積を切り換えるように構成されている、請求項１〜３のいずれかに記載の情報表示端末。
【請求項５】
前記制御手段は、前記情報表示端末に対する入力を受け付けるために前記表示装置に表示される画像の面積を、前記反応する面積に応じて変更するように構成されている、請求項４に記載の情報表示端末。
【請求項６】
前記第１の種類のタッチセンサが一度に検出できるタッチ操作の数と、前記第２の種類のタッチセンサが一度に検出できるタッチ操作の数とは、異なる、請求項１または２に記載の情報表示端末。
【請求項７】
前記予め規定された理由は、前記表示装置の画面がオフになることである、請求項１に記載の情報表示端末。
【請求項８】
前記制御手段は、前記表示装置の画面がオフになっている場合において画面をオフからオンに切り換えるためのタッチ操作が有効であるか否かを判断するための判断手段を含む、請求項７に記載の情報表示端末。
【請求項９】
前記判断手段は、前記有効なユーザインターフェイスの特性に応じて前記タッチ操作がシングルタッチまたはマルチタッチであるかを判断するように構成されている、請求項８に記載の情報表示端末。
【請求項１０】
情報表示端末を制御するための方法であって、
表示装置に対する入力を検出するための第１の種類のタッチセンサをアクティブにするステップと、
前記表示装置に対する入力を検出するための第２の種類のタッチセンサをアクティブにするステップと、
ユーザインターフェイス情報をロードするステップと、
前記第１の種類のタッチセンサおよび前記第２の種類のタッチセンサのいずれかが予め規定された理由のために使用されない場合に、残りのタッチセンサの特性に応じたユーザインターフェイスを、有効なユーザインターフェイスとして機能させるステップとを備える、情報表示端末を制御するための方法。
【請求項１１】
情報表示端末を制御するためのプログラムであって、前記プログラムは前記情報表示端末に、
表示装置に対する入力を検出するための第１の種類のタッチセンサをアクティブにするステップと、
前記表示装置に対する入力を検出するための第２の種類のタッチセンサをアクティブにするステップと、
ユーザインターフェイス情報をロードするステップと、
前記第１の種類のタッチセンサおよび前記第２の種類のタッチセンサのいずれかが予め規定された理由のために使用されない場合に、残りのタッチセンサの特性に応じたユーザインターフェイスを、有効なユーザインターフェイスとして機能させるステップとを実行させる、情報表示端末を制御するためのプログラム。
【発明の詳細な説明】
【技術分野】
【０００１】
本発明は、タッチパネルを有する機器の制御に関し、特に、検出方式の異なる複数のタッチパネルデバイスを組み合わせたハイブリッド式タッチパネルを搭載した機器の制御に関する。
【背景技術】
【０００２】
携帯電話、スマートフォン、タブレット型コンピュータ、ＰＤＡ（Personal  Digital  Assistance）、電子辞書その他の情報表示端末において、タッチパネル式の表示装置を備える機器が増えている。タッチパネル式の表示装置として、検出方式の異なる複数種類のデバイスを組み合わせた所謂ハイブリッド式タッチパネルも知られている。
【０００３】
たとえば、特開２０１０−２７２１４３号公報（特許文献１）は、「タッチスクリーンシステムにおいて、偽の接触を判別する」技術を開示している。
【先行技術文献】
【特許文献】
【０００４】
【特許文献１】特開２０１０−２７２１４３号公報
【発明の概要】
【発明が解決しようとする課題】
【０００５】
特許文献１に開示された技術は、２種類のデバイスを同時に駆動させる仕組みとなっている。そのため、ユーザが望まない場面（たとえば、地震その他の自然災害等の非常事態（緊急地震警報の受信や加速度センサーによる地震検知などをトリガーとして省電力モードになった時、タイマーで省電力モードになった時、手動操作で省電力モードになった時、一定時間無操作で画面オフになった時、等）においてもデバイス２つ分の電力が消費されることになる。そのため、複数のタッチパネルデバイスを有する機器の消費電力が状況に応じて抑制される技術が必要とされている。
【０００６】
この開示は、上述のような問題点を解決するためになされたものであって、その目的は、複数のタッチパネルデバイスを有する情報表示端末において電力消費が抑制される情報表示端末を提供することである。
【０００７】
他の局面の目的は、複数のタッチパネルデバイスを有する情報表示端末の電力消費を抑制するために情報表示端末を制御する方法を提供することである。
【０００８】
さらに他の局面の目的は、複数のタッチパネルデバイスを有する情報表示端末の電力消費を抑制するために情報表示端末を制御するためのプログラムを提供することである。
【課題を解決するための手段】
【０００９】
一実施の形態に従う情報表示端末は、表示装置と、表示装置に対する入力を検出するための第１の種類のタッチセンサと、表示装置に対する入力を検出するための第２の種類のタッチセンサと、ユーザインターフェイス情報を格納するためのメモリと、第１の種類のタッチセンサおよび第２の種類のタッチセンサのいずれかが予め規定された理由のために使用されない場合に、残りのタッチセンサの特性に応じたユーザインターフェイスを、有効なユーザインターフェイスとして機能させるための制御手段とを備える。
【００１０】
好ましくは、予め規定された理由は、情報表示端末の動作モードが省電力モードに切り替わることである。
【００１１】
好ましくは、第１の種類のタッチセンサの検出精度と、第２の種類のタッチセンサの検出精度とは、異なる。
【００１２】
好ましくは、制御手段は、情報表示端末に対する入力を受け付けるために表示装置に表示される画像に対するタッチ操作に反応する面積を切り換えるように構成されている。
【００１３】
好ましくは、制御手段は、情報表示端末に対する入力を受け付けるために表示装置に表示される画像の面積を、反応する面積に応じて変更するように構成されている。
【００１４】
好ましくは、第１の種類のタッチセンサが一度に検出できるタッチ操作の数と、第２の種類のタッチセンサが一度に検出できるタッチ操作の数とは、異なる。
【００１５】
好ましくは、予め規定された理由は、表示装置の画面がオフになることである。
好ましくは、制御手段は、表示装置の画面がオフになっている場合において画面をオフからオンに切り換えるためのタッチ操作が有効であるか否かを判断するための判断手段を含む。
【００１６】
好ましくは、判断手段は、有効なユーザインターフェイスの特性に応じてタッチ操作がシングルタッチまたはマルチタッチであるかを判断するように構成されている。
【００１７】
他の実施の形態に従うと、情報表示端末を制御するための方法が提供される。この方法は、表示装置に対する入力を検出するための第１の種類のタッチセンサをアクティブにするステップと、表示装置に対する入力を検出するための第２の種類のタッチセンサをアクティブにするステップと、ユーザインターフェイス情報をロードするステップと、第１の種類のタッチセンサおよび第２の種類のタッチセンサのいずれかが予め規定された理由のために使用されない場合に、残りのタッチセンサの特性に応じたユーザインターフェイスを、有効なユーザインターフェイスとして機能させるステップとを備える。
【００１８】
さらに他の実施の形態に従うと、情報表示端末を制御するためのプログラムが提供される。このプログラムは、情報表示端末に、表示装置に対する入力を検出するための第１の種類のタッチセンサをアクティブにするステップと、表示装置に対する入力を検出するための第２の種類のタッチセンサをアクティブにするステップと、ユーザインターフェイス情報をロードするステップと、第１の種類のタッチセンサおよび第２の種類のタッチセンサのいずれかが予め規定された理由のために使用されない場合に、残りのタッチセンサの特性に応じたユーザインターフェイスを、有効なユーザインターフェイスとして機能させるステップとを実行させる。
【００１９】
ある局面によると、ユーザが機器の消費電力を抑えて使用したい場合に、一方のタッチパネルデバイスの電源がオフになり消費電力が低減される一方、駆動しているタッチパネルデバイスの特徴に応じたユーザインターフェイスが表示されるため、ユーザの操作感が損なわれることが防止される。
【００２０】
この発明の上記および他の目的、特徴、局面および利点は、添付の図面と関連して理解されるこの発明に関する次の詳細な説明から明らかとなるであろう。
【図面の簡単な説明】
【００２１】
【図１】情報表示端末１００の外観を表わす図である。
【図２】情報表示端末１００のハードウェア構成を表わすブロック図である。
【図３】情報表示端末１００の動作モードの切り換えの概略を表わす図である。
【図４】情報表示端末１００のＣＰＵ１２０が実行する処理ステップの一部を表わすフローチャートである。
【発明を実施するための形態】
【００２２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２３】
［外観］
図１を参照して、本実施の形態に係る情報表示端末１００について説明する。図１は、情報表示端末１００の外観を表わす図である。ある局面において、情報表示端末１００は、携帯電話、スマートフォン、タブレット型コンピュータ、ＰＤＡ（Personal  Digital  Assistance）、電子辞書その他の機器として実現される。
【００２４】
情報表示端末１００は、筐体に配置された表示装置１１０を備える。表示装置１１０は、複数の操作検出機構を有する所謂ハイブリッド式タッチパネルである。ある局面において、表示装置１１０は、静電式タッチパネルおよび感圧式タッチパネルとして機能する。
【００２５】
情報表示端末１００は、そのユーザによる操作その他外部から与えられる命令に基づいて、または、情報表示端末１００の状態が予め規定された状態になったことに基づいて、表示装置１１０の機能を静電式と感圧式との間で切り換える。
【００２６】
たとえば、ユーザの操作等により静電式タッチパネルのみが有効となった場合、静電式の方が感圧式に比べてタッチ部位の検出精度が低いため、表示装置１１０に表示されるアイコンのサイズ（面積）を大きくする等のユーザ操作感を損なわないためのＵＩ（ユーザインターフェイス）制御が行われる。
【００２７】
なお、アイコンの面積には、画像を表示するための領域に相当する表示面積と、タッチ操作を検出して当該タッチ操作に対して応答するための領域に相当する反応面積とがある。ある局面において、反応面積は、表示面積よりも小さい場合がある。ある局面において、アイコンの面積の変更の対象は、表示面積だけ、反応面積だけ、または、反応面積および表示面積の両方、のいずれであってもよい。
【００２８】
［ハードウェア構成］
図２を参照して、本実施の形態に係る情報表示端末１００の構成についてさらに説明する。図２は、情報表示端末１００のハードウェア構成を表わすブロック図である。情報表示端末１００は、表示装置１１０と、ＣＰＵ（Central  Processing  Unit）１２０と、静電式のタッチパネルデバイス１３０と、感圧式のタッチパネルデバイス１４０と、メモリ１５０と、操作スイッチ１６０と、通信回路１７０とを備える。
【００２９】
表示装置１１０は、タッチパネルデバイス１３０およびタッチパネルデバイス１４０と基板（図示しない）との間に配置されて、アイコンその他の画像または文字その他の情報を表示する。表示装置１１０は、ある局面において液晶表示装置または有機ＥＬ（Electro  Luminescence）表示装置として実現される。
【００３０】
ＣＰＵ１２０は、情報表示端末１００に対する操作に基づいて、または、情報表示端末１００の状態が予め定められた状態になったことに基づいて、情報表示端末１００の動作を制御する。
【００３１】
メモリ１５０は、情報表示端末１００の動作を制御するためのプログラムまたはデータを格納するための不揮発性の記憶装置として構成される。
【００３２】
操作スイッチ１６０は、情報表示端末１００のユーザによる命令の入力を受け付けるためのハードウェアキーとして実現される。
【００３３】
通信回路１７０は、他の機器と通信するための回路であり、電話機能、ＷｉＦｉ（Wireless  Fidelity）、ブルートゥース（登録商標）、赤外線通信回路その他の通信機能を実現する。実現される通信機能は、情報表示端末１００の構成によって異なる。
【００３４】
ある局面において、ＣＰＵ１２０は、静電式のタッチパネルデバイス１３０および感圧式のタッチパネルデバイス１４０のいずれかが予め規定された理由のために使用されない場合に、残りのタッチセンサの特性に応じたユーザインターフェイスを、有効なユーザインターフェイスとして、表示装置１１０に対する操作の入力を受け付けるように機能させる（アクティブにする）。
【００３５】
［構成の概要］
ある局面において、予め規定された理由は、情報表示端末１００の動作モードが省電力モードに切り替わることである。切り替わりのタイミングは、たとえば、予め規定された時間、情報表示端末１００に入力がないことである。あるいは、他の局面において、省電力モードに切り替わるための操作として予め設定されたユーザ操作が行なわれた場合にも、動作モードは省電力モードに切り替わり得る。
【００３６】
ある局面において、静電式のタッチパネルデバイス１３０の検出精度と、感圧式のタッチパネルデバイス１４０の検出精度とは、異なる。
【００３７】
他の局面において、ＣＰＵ１２０は、情報表示端末１００に対する入力を受け付けるために表示装置１１０に表示される画像（たとえば、アイコン）に対するタッチ操作に反応する面積を切り換えるように構成されている。ある局面において、ＣＰＵ１２０は、情報表示端末１００に対する入力を受け付けるために表示装置１１０に表示される画像の面積を、当該反応する面積に応じて変更するように構成されている。
【００３８】
他の局面において、静電式のタッチパネルデバイス１３０が一度に検出できるタッチ操作の数と、感圧式のタッチパネルデバイス１４０が一度に検出できるタッチ操作の数とは、異なる。
【００３９】
ある局面において、予め規定された理由は、表示装置１１０の画面がオフになることである。
【００４０】
他の局面において、ＣＰＵ１２０は、表示装置１１０の画面がオフになっている場合において画面をオフからオンに切り換えるためのタッチ操作が有効であるか否かを判断するための判断部として機能する。
【００４１】
ある局面において、ＣＰＵ１２０は、判断部として、有効なユーザインターフェイスの特性に応じてタッチ操作がシングルタッチまたはマルチタッチであるかを判断するように構成されている。
【００４２】
他の実施の形態において、情報表示端末１００を制御するための方法が提供される。この方法は、ＣＰＵ１２０が、表示装置１１０に対する入力を検出するための静電式のタッチパネルデバイス１３０をアクティブにするステップと、ＣＰＵ１２０が、表示装置１１０に対する入力を検出するための感圧式のタッチパネルデバイス１４０をアクティブにするステップと、ＣＰＵ１２０が、ユーザインターフェイス情報をロードするステップと、ＣＰＵ１２０が、静電式のタッチパネルデバイス１３０および感圧式のタッチパネルデバイス１４０のいずれかが予め規定された理由のために使用されない場合に、残りのタッチセンサの特性に応じたユーザインターフェイスを、有効なユーザインターフェイスとして機能させるステップとを備える。
【００４３】
さらに他の実施の形態に従うと、情報表示端末１００を制御するためのプログラムが提供される。このプログラムは、メモリ１５０に格納されており、ＣＰＵ１２０によって読み出されて実行される。このプログラムは、ＣＰＵ１２０に、静電式のタッチパネルデバイス１３０をアクティブにするステップと、感圧式のタッチパネルデバイス１４０をアクティブにするステップと、メモリ１５０に予め格納されているユーザインターフェイス情報をロードするステップと、静電式のタッチパネルデバイス１３０および感圧式のタッチパネルデバイス１４０のいずれかが上記の予め規定された理由のために使用されない場合に、残りのタッチセンサの特性に応じたユーザインターフェイスを、有効なユーザインターフェイスとして機能させるステップとを実行させる。
【００４４】
［制御構造］
図３および図４を参照して、本実施の形態に係る情報表示端末１００の制御構造について説明する。図３は、情報表示端末１００の動作モードの切り換えの概略を表わす図である。
【００４５】
ステップＳ３１０にて、ＣＰＵ１２０は、情報表示端末１００が実行すべき動作モードが通常モードであるか省電力モードであるかを判断する。この判断は、たとえば、情報表示端末１００に対する外部入力がなくなってから予め設定された時間が経過した時に行なわれる。ＣＰＵ１２０は、情報表示端末１００が通常モードで作動すべきであると判断すると、制御をステップＳ３２０に切り換える。ＣＰＵ１２０は、情報表示端末１００が省電力モードで作動すべきであると判断すると、ＣＰＵ１２０は、制御をステップＳ３３０に切り換える。
【００４６】
ステップＳ３２０にて、ＣＰＵ１２０は、ハイブリッド方式用ユーザインターフェイスを起動する。より詳しくは、ＣＰＵ１２０は、静電式のタッチパネルデバイス１３０および感圧式のタッチパネルデバイス１４０をアクティブにして、静電式のタッチパネルデバイス１３０および感圧式のタッチパネルデバイス１４０のいずれからの信号も受け付けるように、当該信号に応じて情報表示端末１００の動作を制御を実行する。この場合、タッチ操作を検出するための画像（アイコン）に対応する反応面積は、静電式のタッチパネルデバイス１３０および感圧式のタッチパネルデバイス１４０に応じて異なってもよい。
【００４７】
ステップＳ３３０にて、ＣＰＵ１２０は、静電式のタッチパネルデバイス１３０のためのユーザインターフェイスまたは感圧式のタッチパネルデバイス１４０のためのユーザインターフェイスを表示装置１１０に表示させる。いずれのユーザインターフェイスが表示されるかは、たとえば、省電力モードのときに表示されるべきユーザインターフェイスを規定する設定に応じて定まる。ある局面において、省電力モードのときに静電式のタッチパネルデバイス１３０のみを有効とするためのデータがメモリ１５０に格納されている場合、ＣＰＵ１２０は、表示装置１１０に表示されるアイコンを、感圧式のタッチパネルデバイス１４０が駆動する場合に表示されるアイコンよりも大きくする。タッチ部位の検出精度に関し、一般に、静電式のタッチパネルデバイス１３０の検出精度は、感圧式のタッチパネルデバイス１４０の検出精度よりも劣るため、このようにタッチパネルデバイスの特性に応じてアイコンを大きく表示することにより、ユーザの誤操作が防止される。
【００４８】
他の局面において、省電力モードのときに感圧式のタッチパネルデバイス１４０のみが有効となるように情報表示端末１００において設定されている場合には、逆に、静電式のタッチパネルデバイス１３０の場合に表示されるアイコンよりも小さなアイコンが表示され得る。この場合の消費電力は、静電式のタッチパネルデバイス１３０が用いられる場合の消費電力よりも小さくなり得る。
【００４９】
ある局面において、情報表示端末１００に対する操作が予め規定された時間なかった場合、表示装置１１０の画面はオフになる。この場合、表示装置１１０に対するタッチ操作に応じて画面がオンに復帰するユーザインターフェイスが一般的に用いられる。
【００５０】
静電式のタッチパネルデバイス１３０と、感圧式のタッチパネルデバイス１４０とを備える情報表示端末１００の画面がオフになる場合においては、消費電力を考慮した制御として、静電式のタッチパネルデバイス１３０のみを有効とする制御と、感圧式のタッチパネルデバイス１４０のみを有効とする制御とが考えられる。いずれのタッチパネルデバイスを有効とするかは、各タッチパネルデバイスの消費電力や誤動作防止等の観点によって、情報表示端末１００のユーザが設定を入力することにより、自由に決めることができる。
【００５１】
また、タッチ操作の検出特性に関し、同時検出数は、タッチパネルデバイスによって異なる場合がある。同時検出数とは、タッチパネルデバイスが一度に検出できるタッチ操作の数をいう。たとえば、一般には、感圧式のタッチパネルデバイス１４０は、１点へのタッチ操作を検出可能であり（シングルタッチ）、静電式のタッチパネルデバイス１３０は、複数点への各タッチ操作を検出可能である（マルチタッチ）。
【００５２】
さらに、誤動作防止の対策として、タッチ操作を長押しにすることも一般的に行なわれるが、タッチ操作が行なわれる時間が長いと、ユーザが煩わしさを感じる場合もある。
【００５３】
そこで、上記を踏まえ、画面をオフからオンに復帰させるためのタッチ操作（以下「復帰操作」という）について、ある局面において、画面がオフであるときに感圧式のタッチパネルデバイス１４０のみが有効とされている場合には、１点の長押しが当該復帰操作として設定されてもよい。一方、画面がオフであるときに静電式のタッチパネルデバイス１３０のみが有効とされている場合には、複数点の短押しが当該復帰操作として設定されてもよい。このようにすると、感圧式のタッチパネルデバイス１４０の特性および静電式のタッチパネルデバイス１３０の特性に合わせて誤動作が防止されるつ、ユーザの利便性向上が図られる。
【００５４】
［オンからオフへの復帰］
そこで、図４を参照して、画面がオンからオフに復帰する場合に実行される動作について説明する。図４は、情報表示端末１００のＣＰＵ１２０が実行する処理ステップの一部を表わすフローチャートである。
【００５５】
ステップＳ４１０にて、ＣＰＵ１２０は、情報表示端末１００に対して与えられた入力に基づいて、表示装置１１０の画面をオンにすべきことを検知する。当該入力は、静電式のタッチパネルデバイス１３０へのタッチ操作、または、感圧式のタッチパネルデバイス１４０へのタッチ操作を含む。ＣＰＵ１２０は、たとえば、予め設定された画像を表示装置１１０に表示する。たとえば、情報表示端末１００が待ち受け状態である場合には、ＣＰＵ１２０は、待ち受け画面を表示するためのデータとして予めメモリ１５０に格納されている画像を表示装置１１０に表示させる。あるいは、電子メールの作成の途中である場合には、ＣＰＵ１２０は、電子メールの作成画面を表示装置１１０に表示させる。
【００５６】
ステップＳ４１５にて、ＣＰＵ１２０は、内蔵するクロックに基づいて、情報表示端末１００に対する操作が一定時間なかったか否かを判断する。ＣＰＵ１２０は、当該操作が一定時間なかったと判断すると（ステップＳ４１５にてＹＥＳ）、制御をステップＳ４２０に切り換える。そうでない場合には（ステップＳ４１５にてＮＯ）、ＣＰＵ１２０は、制御をステップＳ４１０に戻し、表示装置１１０における画面の表示を続ける。
【００５７】
ステップＳ４２０にて、ＣＰＵ１２０は、メモリ１５０に保持されている制御データに基づいて、当該操作がない場合におけるタッチ検出の設定が感圧式のタッチパネルデバイス１４０を用いた検出か、静電式のタッチパネルデバイス１３０を用いた検出かを判断する。当該タッチ操作が、感圧式のタッチパネルデバイス１４０を用いて検出されるように設定されている場合には、ＣＰＵ１２０は、制御をステップＳ４３０に切り換える。当該タッチ操作が、静電式のタッチパネルデバイス１３０を用いて検出されるように設定されている場合には、ＣＰＵ１２０は、制御をステップＳ４６０に切り換える。
【００５８】
ステップＳ４３０にて、ＣＰＵ１２０は、復帰方法を感圧式に設定する。より詳しくは、ＣＰＵ１２０は、感圧式のタッチパネルデバイス１４０がタッチ操作を検出した場合に、情報表示端末１００においてオフにされている（消灯している）画面をオンにする（点灯する）ことを規定するデータを、メモリ１５０に格納する。
【００５９】
ステップＳ４３５にて、ＣＰＵ１２０は、表示装置１１０の画面をオフに設定する。より詳しくは、ＣＰＵ１２０は、表示装置１１０のバックライトを消灯し、あるいは、表示装置１１０への電力の供給を停止する。たとえば、情報表示端末１００が、予め設定された時間、何らかの入力を検出しない場合には、表示装置１１０は消灯する。なお、この場合の入力は、表示装置１１０に対するタッチ操作および物理キーとして構成される操作スイッチ１６０のいずれをも含む。
【００６０】
ステップＳ４４０にて、ＣＰＵ１２０は、入力する信号に基づいて、表示装置１１０にタッチ操作が行なわれたか否かを判断する。当該信号は、静電式のタッチパネルデバイス１３０、感圧式のタッチパネルデバイス１４０、操作スイッチ１６０からの各信号を含み得る。ＣＰＵ１２０は、表示装置１１０に対するタッチ操作が行なわれたと判断すると（ステップＳ４４０にてＹＥＳ）、制御をステップＳ４４５に切り換える。そうでない場合には（ステップＳ４４０にてＮＯ）、ＣＰＵ１２０は、制御をステップＳ４４０に戻す。
【００６１】
ステップＳ４４５にて、ＣＰＵ１２０は、静電式のタッチパネルデバイス１３０または感圧式のタッチパネルデバイス１４０からの信号に基づいて、タッチ操作と上記の復帰方法（ステップＳ４３０）とが同じであるか否かを判断する。この判断は、当該信号により特定されるタッチパネルデバイスの種類が、ステップＳ４３０においてメモリ１５０に格納されたデータにより特定されるタッチパネルデバイスの種類と同じであるか否かに基づいて行なわれる。ＣＰＵ１２０は、タッチ操作と上記の復帰動作とが同じであると判断すると（ステップＳ４４５にてＹＥＳ）、制御をステップＳ４５０に切り換える。そうでない場合には（ステップＳ４４５にてＮＯ）、ＣＰＵ１２０は、制御をステップＳ４４０に戻す。
【００６２】
ステップＳ４５０にて、ＣＰＵ１２０は、表示装置１１０の画面をオンにする。より詳しくは、ＣＰＵ１２０は、表示装置１１０のバックライトを点灯し、あるいは、表示装置１１０への電力の供給を再開する。
【００６３】
ステップＳ４６０にて、ＣＰＵ１２０は、復帰方法を静電式に設定する。より詳しくは、ＣＰＵ１２０は、静電式のタッチパネルデバイス１３０がタッチ操作を検出した場合に、情報表示端末１００においてオフにされている（消灯している）画面をオンにする（点灯する）ことを規定するデータを、メモリ１５０に格納する。
【００６４】
ステップＳ４６５にて、ＣＰＵ１２０は、ステップＳ４３５の場合と同様に、表示装置１１０の画面をオフに設定する。より詳しくは、ＣＰＵ１２０は、表示装置１１０のバックライトを消灯し、あるいは、表示装置１１０への電力の供給を停止する。たとえば、情報表示端末１００が、予め設定された時間、何らかの入力を検出しない場合には、表示装置１１０は消灯する。なお、この場合の入力は、表示装置１１０に対するタッチ操作および物理キーとして構成される操作スイッチ１６０のいずれをも含む。
【００６５】
ステップＳ４７０にて、ＣＰＵ１２０は、入力する信号に基づいて、表示装置１１０にタッチ操作が行なわれたか否かを判断する。当該信号は、静電式のタッチパネルデバイス１３０、感圧式のタッチパネルデバイス１４０、操作スイッチ１６０からの各信号を含み得る。ＣＰＵ１２０は、表示装置１１０に対するタッチ操作が行なわれたと判断すると（ステップＳ４７０にてＹＥＳ）、制御をステップＳ４７５に切り換える。そうでない場合には（ステップＳ４７０にてＮＯ）、ＣＰＵ１２０は、制御をステップＳ４７０に戻す。
【００６６】
ステップＳ４７５にて、ＣＰＵ１２０は、静電式のタッチパネルデバイス１３０または感圧式のタッチパネルデバイス１４０からの信号に基づいて、タッチ操作と上記の復帰方法（ステップＳ４６０）とが同じであるか否かを判断する。この判断は、当該信号により特定されるタッチパネルデバイスの種類が、ステップＳ４６０においてメモリ１５０に格納されたデータにより特定されるタッチパネルデバイスの種類と同じであるか否かに基づいて行なわれる。ＣＰＵ１２０は、タッチ操作と上記の復帰動作とが同じであると判断すると（ステップＳ４７５にてＹＥＳ）、制御をステップＳ４８０に切り換える。そうでない場合には（ステップＳ４７５にてＮＯ）、ＣＰＵ１２０は、制御をステップＳ４７０に戻す。
【００６７】
ステップＳ４８０にて、ＣＰＵ１２０は、表示装置１１０の画面をオンにする。より詳しくは、ＣＰＵ１２０は、表示装置１１０のバックライトを点灯し、あるいは、表示装置１１０への電力の供給を再開する。
【００６８】
以上のようにして、本実施の形態に係る情報表示端末１００は、特性の異なる複数のタッチパネルデバイスを有しており、省電力モードの場合には、いずれか一方のみのタッチパネルデバイスのみがタッチ操作を検出するように構成されている。このようにすると、複数の（または全てのタッチパネルデバイス）がアクティブである場合に比べて、電力の消費が抑制される。
【００６９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７０】
１００  情報表示端末、１１０  表示装置、１２０  ＣＰＵ、１３０，１４０  タッチパネルデバイス、１５０  メモリ、１６０  操作スイッチ、１７０  通信回路。
【図１】
2013143090.tif 000003
【図２】
2013143090.tif 000004
【図３】
2013143090.tif 000005
【図４】
2013143090.tif 000006